(57)【要約】【課題】  １つの地絡検出回路のみで、複数の電源部の地絡を検出すること。【解決手段】  電源部の地絡を検出する地絡検出回路を備えた火災受信機において、前記地絡検出回路を複数の電源部に接続して、前記地絡検出回路に前記複数の電源部の地絡検出を行わせる。また、前記地絡検出回路と複数の電源部との間に設けられ、前記地絡検出回路に前記複数の電源部のいずれかを選択的に切換接続するように制御される切換手段を備える。また、前記切換手段は、前記複数の電源部のうち、重要度の高いものほど、前記地絡検出回路と長く接続するように制御される。また、前記複数の電源部が地絡したことを区別して表示するように制御される表示手段を備える。【選択図】  図１
2008102746.tif 000002
【特許請求の範囲】
【請求項１】
電源部の地絡を検出する地絡検出回路を備えた火災受信機において、
前記地絡検出回路を複数の電源部に接続して、前記地絡検出回路に前記複数の電源部の地絡検出を行わせることを特徴とする火災受信機。
【請求項２】
前記地絡検出回路と複数の電源部との間に設けられ、前記地絡検出回路に前記複数の電源部のいずれかを選択的に切換接続するように制御される切換手段を備えたことを特徴とする請求項1記載の火災受信機。
【請求項３】
前記切換手段は、前記複数の電源部のうち、重要度の高いものほど、前記地絡検出回路と長く接続するように制御されることを特徴とする請求項２記載の火災受信機。
【請求項４】
前記複数の電源部が地絡したことを区別して表示するように制御される表示手段を備えたことを特徴とする請求項１〜３記載の火災受信機。
【発明の詳細な説明】
【技術分野】
【０００１】
本発明は、火災受信機に関する。
【背景技術】
【０００２】
電源部の地絡を検出する地絡検出回路を設けた火災受信機が知られている（例えば、特許文献１参照）。この火災受信機は、内部回路の全てに１つの電源部から電源が供給されており、そのため、火災感知器を接続する感知器ライン（ＣラインまたはＬライン）の地絡を検出することによって、電源部の地絡を検出している。
【０００３】
地絡検出回路は、一般的に、アースに接続された金属製の筐体に、リード線を介して接続されており、アース側に電流が流れたか否かを検知し、電流が流れた場合に、地絡が生じたものとして、これを報知する。
【特許文献１】特開２００４−１２６８２６号公報。
【発明の開示】
【発明が解決しようとする課題】
【０００４】
上記火災受信機は、電源部が１つのみであるが、システムの規模によっては、火災感知器や地区ベルなどの端末機器の設置数や、内部回路の増大によって、複数の電源部が必要数だけ必要になる。
【０００５】
そのため、複数の電源部に対応してそれぞれ地絡検出回路を設けることが考えられるが、そのようにするとコストの増大や、機器の大型化が生じてしまう。
【０００６】
つまり、従来は、電源部の数と同じ数だけ地絡検出回路が必要であったので、コストの増大や、機器の大型化が生じてしまうという問題があった。
【０００７】
本発明は、１つの地絡検出回路のみで、複数の電源部の地絡を検出することができる火災受信機を提供することを目的とするものである。
【課題を解決するための手段】
【０００８】
本発明は、電源部の地絡を検出する地絡検出回路を備えた火災受信機において、前記地絡検出回路を複数の電源部に接続して、前記地絡検出回路に前記複数の電源部の地絡検出を行わせることを特徴とする。
【０００９】
また、前記地絡検出回路と複数の電源部との間に設けられ、前記地絡検出回路に前記複数の電源部のいずれかを選択的に切換接続するように制御される切換手段を備えたことを特徴とする。
【００１０】
また、前記切換手段は、前記複数の電源部のうち、重要度の高いものほど、前記地絡検出回路と長く接続するように制御されることを特徴とする。
【００１１】
また、前記複数の電源部が地絡したことを区別して表示するように制御される表示手段を備えたことを特徴とする。
【発明の効果】
【００１２】
本発明は、電源部の地絡を検出する地絡検出回路を備えた火災受信機において、前記地絡検出回路を複数の電源部に接続して、前記地絡検出回路に前記複数の電源部の地絡検出を行わせるようにした。そのため、１つの地絡検出回路のみで、複数の電源部の地絡を検出することができて、コストを低減でき、機器の大型化を防止することができる。
【００１３】
また、前記地絡検出回路と複数の電源部との間に設けられ、前記地絡検出回路に前記複数の電源部のいずれかを選択的に切換接続するように制御される切換手段を備えた。複数の電源部のいずれかが選択的に地絡検出回路に接続される構成なので、複数の電源部が同時に地絡検出回路に接続されることがないので、それぞれの電源部のアイソレーションを保つことができる。
【００１４】
ここで、複数の電源部を地絡検出回路に並列に常時接続した場合は、雷などの外来ノイズが発生したときに、アースを経由して地絡検出回路から回り込んで複数の電源部の全てが破損してしまうが、複数の電源部のうちの一つだけを地絡検出回路に選択的に切換接続する構成としたので、雷などの外来ノイズが発生したときには、地絡検出回路に接続されている電源部のみの破損に留めることができる。また、電源部のいずれかに地絡が生じても、それ以外の電源部はその地絡の影響を受けることがない。
【００１５】
また、前記切換手段は、前記複数の電源部のうち、重要度の高いものほど、前記地絡検出回路と長く接続するように制御される。そのため、重要度の高い電源部ほど、その地絡検出時間を長くして、早期に地絡を検出することができる。
【００１６】
例えば、感知器ラインやＣＰＵ（制御手段）に電源供給する第１電源部と地区ベルラインに電源供給する第２電源部がある場合、火災感知器は常時火災を検出する必要性があり、また、ＣＰＵも常時正常に動作する必要があり、その一方、地区ベルは火災発生時に鳴動できればよいので、この場合は、第１電源部の地絡検出時間を第２電源部のそれよりも長くして、早期に地絡を検出することができる。
【００１７】
また、前記複数の電源部が地絡したことを区別して表示するように制御される表示手段を備えたので、作業員は、地絡の原因を判別でき、地絡復旧作業を的確に行うことができる。
【発明を実施するための最良の形態】
【００１８】
図１は、本発明の一実施例である火災報知設備ＦＡ１を示す回路図である。
【００１９】
火災報知設備ＦＡ１は、火災受信機ＲＥと、感知器ライン（Ｃ１ライン、Ｌ１ライン）と、Ｃ１ラインとＬ１ラインとの間に接続されている火災感知器ＳＥ１、ＳＥ２、……と終端抵抗Ｒ１と、地区ベルライン（Ｃ２ライン、Ｌ２ライン）と、Ｃ２ラインとＬ２ラインとの間に接続されている地区ベルＢ１、Ｂ２、……と終端抵抗Ｒ２とを有する。
【００２０】
火災受信機ＲＥは、制御部ＣＯＮＴと、火災感知器ＳＥの発報を検出する火災検出回路１００と、７セグメント表示部を具備する表示部ＤＰ（表示手段の一例）と、ブザーＢｚと、火災発生時に地区ベルＢを鳴動させる地区音響鳴動回路６００と、第１電源部７００と、第２電源部８００とを有する。
【００２１】
制御部ＣＯＮＴは、地絡検出回路２００と、第１タイマ３０１と第２タイマ３０２とを具備するＣＰＵ３００（制御手段の一例）と、ＲＡＭ４００と、音響回路５００とを有する。フレームグランドＦＧ（火災受信機ＲＥのキャビネット）は、建物の鉄骨等（アースＥ）に接続される。
【００２２】
地区音響鳴動回路６００は、第２電源部８００から電源（＋２）を供給されている。地区音響鳴動回路６００を除く火災検出回路１００、ＣＰＵ３００などの内部回路は、第１電源部７００から電源（＋１）を供給されている。そして、地絡検出回路２００は、第１電源部７００と第２電源部８００のうち、地絡検出を行っている電源部から選択的に電源を供給される。つまり、第１電源部７００と第２電源部８００とは、それぞれが互いに切り離されており、互いのアイソレーションが保たれている。したがって、地絡検出回路２００が、第１電源部７００から電源（＋１）を供給されている場合、地絡検出回路２００のグランドの電位はグランドＧ１であり、火災検出回路１００のグランドＧ１の電位と同レベルである。一方、地絡検出回路２００が、第２電源部８００から電源（＋２）を供給されている場合、地絡検出回路２００のグランドの電位はグランドＧ２であり、地区音響鳴動回路６００のグランドＧ２の電位と同レベルである。また、各回路から見るとアースＥの電位は浮いた形となっている。
【００２３】
図２は、上記実施例に設けられている地絡検出回路と２つの電源部との接続切換機構の概略を示すブロック図である。
【００２４】
図３は、上記実施例に設けられている地絡検出回路、および地絡検出回路と２つの電源部との接続切換機構を示す回路図である。
【００２５】
まず、地絡検出回路２００と２つの電源部７００、８００との接続切換機構を説明する。上記接続切換機構は、ＣＰＵ３００と、ＣＰＵ３００に接続されたリレーＲＥと、地絡検出回路２００と２つの電源部７００、８００とのとの間に設けられたリレーＲＥの接点ｒｅ１、ｒｅ２（切換手段の一例）とを有する。接点ｒｅ１は、一端が地絡検出回路２００に接続され、他端が第１または第２の電源部７００、８００の＋側（＋１または＋２）に切換接続される。接点ｒｅ２は、一端が地絡検出回路２００に接続され、他端が第１または第２の電源部７００、８００の−側（グランドＧ１またはＧ２）に切換接続される。
【００２６】
ＣＰＵ３００は、第１電源部７００の地絡検出時間として第１所定時間（例えば、４５秒間）が設定される第１タイマ３０１と、第２電源部８００の地絡検出時間として第２所定時間（例えば、１５秒間）が設定される第２タイマ３０２とを有し、第１タイマ３０１と第２タイマ３０２とを交互に起動して、第１タイマ３０１の起動からカウントアップまでの第１所定時間（例えば、４５秒間）の間は、地絡検出回路２００に第１電源部７００の地絡検出を行わせ、また、第２タイマ３０２の起動からカウントアップまでの第２所定時間（例えば、１５秒間）の間は、地絡検出回路２００に第２電源部８００の地絡検出を行わせる。
【００２７】
つまり、ＣＰＵ３００は、第１タイマ３０１の起動時は、リレーＲＥをオフして、接点ｒｅ１、ｒｅ２を第１電源部７００側（＋１、グランドＧ１）に接続して、地絡検出回路２００と第１電源部７００とを接続して、地絡検出回路２００に第１電源部７００の地絡検出を行わせる。また、第２タイマ３０２の起動時は、リレーＲＥをオンして、接点ｒｅ１、ｒｅ２を第２電源部８００側（＋２、グランドＧ２）に接続して、地絡検出回路２００と第２電源部８００とを接続して、地絡検出回路２００に第２電源部８００の地絡検出を行わせる。
【００２８】
つぎに、地絡検出回路２００について説明する。第１または第２電源部７００、８００の地絡検出回路２００は、フレームグランドＦＧに接続される地絡検出端子Ｔ１と、過大電圧吸収用ツェナーダイオードＺ１、Ｚ２と、ノイズ吸収用コンデンサＣ１、Ｃ２と、基準電圧発生回路１０と、Ｃライン用コンパレータ２０と、Ｌライン用コンパレータ３０と、幅の狭いノイズ吸収用コンデンサとＣ３、Ｃ４と、フォトカプラＰＣ１、ＰＣ２と、プルアップ抵抗Ｒ９、Ｒ１０と、限流抵抗Ｒ１１、Ｒ１２とを有する。
【００２９】
上記したように、ＣＰＵ３００と異なる電源で地絡検出回路２００が動作するため、ＣＰＵ３００の取り込み部分には、フォトカプラＰＣ１、ＰＣ２が設けられている。つまり、ＣＰＵ３００は第１電源部７００の電源（＋１）で動作するのに対し、地絡検出回路２００は第１電源部７００の電源（＋１）または第２電源部８００の電源（＋２）で動作することから、それぞれの電源部７００、８００のアイソレーションを保つために、フォトカプラＰＣ１、ＰＣ２が設けられる。
【００３０】
基準電圧発生回路１０は、電圧分割抵抗Ｒ６、Ｒ７、Ｒ８によって構成され、接点ｒｅ１、ｒｅ２によって接続された電源電圧（＋１または＋２）を分割し、Ｃ（Ｃ１またはＣ２）ライン判別用の基準電圧Ｖｒｅｆｃと、Ｌ（Ｌ１またはＬ２）ライン判別用の基準電圧Ｖｒｅｆｌとを発生する。Ｃライン判別用の基準電圧Ｖｒｅｆｃは、抵抗Ｒ６と抵抗Ｒ７との接続点に発生し、Ｌライン判別用の基準電圧Ｖｒｅｆｌは、抵抗Ｒ７と抵抗Ｒ８との接続点に発生する。
【００３１】
なお、「地絡」は、第１電源部７００の場合は、Ｃ１ラインまたはＬ１ラインとフレームグランドＦＧ（キャビネット）との間の抵抗値が、所定の抵抗値（例えば、数十ｋΩ）以下になることである。また、第２電源部８００の場合は、Ｃ２ラインまたはＬ２ラインとフレームグランドＦＧ（キャビネット）との間の抵抗値が、所定の抵抗値（例えば、数十ｋΩ）以下になることである。つまり、Ｃライン（Ｃ１またはＣ２ライン）、Ｌライン（Ｌ１またはＬ２ライン）、端末機器（火災感知器ＳＥまたは地区ベルＢ）等の被覆が破れると、火災受信機ＲＥのキャビネットに直接接触したり、布設現場の鉄骨の結露水等に接触し、地絡が生じる。
【００３２】
次に、上記実施例の動作について説明する。まず、第１電源部７００の地絡検出動作、つまり、感知器ライン（Ｃ１、Ｌ１ライン）の地絡検出動作について説明する。
【００３３】
ＣＰＵ３００によって、リレーＲＥがオフされ、接点ｒｅ１、ｒｅ２を第１電源部７００側（＋１、グランドＧ１）に接続した状態で、Ｃ１ラインが地絡すると、Ｃ１ラインに印加されている電圧が、Ｃ１ライン→フレームグランドＦＧ→地絡検出端子Ｔ１→抵抗Ｒ１→抵抗Ｒ４→抵抗Ｒ５→コンパレータ２０の（−）端子を介して分割され、この分割された電圧が印加され、この印加された電圧が、グランドＧ１に対してＣライン判別用基準電圧Ｖｒｅｆｃよりも高くなるので、Ｃライン用コンパレータ２０の出力信号がＯＮし、フォトカプラＰＣ１が動作し（ＯＮし）、出力信号ＥＥ＋が低下し、ＣＰＵ３００が、Ｃライン用コンパレータ２０の出力信号ＯＮを読み取り、Ｃ１ライン地絡を検出する。これによって、表示部ＤＰに設けられている７セグメント表示装置に、エラーコードＥ１１を表示し、故障音響を鳴動する。
【００３４】
一方、Ｌ１ラインが地絡すると、Ｌ１ラインの電圧は、Ｌ１ライン→フレームグランドＦＧ→地絡検出端子Ｔ１→抵抗Ｒ１→抵抗Ｒ４→抵抗Ｒ５→コンパレータ３０の（＋）端子を介して分割され、この分割された電圧が印加され、この印加された電圧が、グランドＧ１に対してＬライン判別用基準電圧Ｖｒｅｆｌよりも低くなるので、Ｌライン用コンパレータ３０の出力信号がＯＮし、フォトカプラＰＣ２が動作し（ＯＮし）、出力信号ＥＥ−が低下し、ＣＰＵ３００が、Ｌライン用コンパレータ３０の出力信号ＯＮを読み取り、Ｌ１ライン地絡を検出する。これによって、表示部ＤＰに設けられている７セグメント表示装置に、エラーコードＥ１２を表示し、故障音響を鳴動する。
【００３５】
つまり、電源（＋１）が通常２４Ｖに設定され、グランドＧ１が０Ｖに設定され、互いに同じインピーダンスである抵抗Ｒ２、Ｒ３の接続点が１２Ｖであり、この１２Ｖが、地絡検出電圧として、コンパレータ２０の（−）端子に供給され、コンパレータ３０の（＋）端子に供給されている。
【００３６】
一方、基準電圧発生回路１０が、Ｃライン判別用基準電圧Ｖｒｅｆｃ（１６Ｖ）と、Ｌライン判別用基準電圧Ｖｒｅｆｌ（８Ｖ）とを発生し、これらの基準電圧が、それぞれ、コンパレータ２０の（＋）端子、コンパレータ３０の（−）端子に供給されている。つまり、抵抗Ｒ２、Ｒ３の接続点の電圧（地絡が生じていない通常は１２Ｖ）が、１６Ｖよりも高くなったこと（Ｃ１ライン側に地絡したことによって、Ｃ１ラインの電圧、たとえば約２４Ｖが印加され、抵抗Ｒ１、Ｒ２、Ｒ３による電圧分割比が変わり、抵抗Ｒ２、Ｒ３の接続点の電圧が上昇する）を、コンパレータ２０が判別し、８Ｖよりも低くなったこと（Ｌ１ライン側に地絡したことによって、Ｌ１ラインの電圧、たとえば２Ｖが印加され、抵抗Ｒ２、Ｒ３の接続点の電圧が下がったこと）を、コンパレータ３０が判別する。
【００３７】
つぎに、第２電源部８００の地絡検出動作、つまり、地区ベルライン（Ｃ２、Ｌ２ライン）の地絡検出動作について説明する。
【００３８】
ＣＰＵ３００によって、リレーＲＥがオンされ、接点ｒｅ１、ｒｅ２を第２電源部８００側（＋２、グランドＧ２）に接続した状態で、Ｃ２ラインが地絡すると、Ｃ２ラインに印加されている電圧が、Ｃ２ライン→フレームグランドＦＧ→地絡検出端子Ｔ１→抵抗Ｒ１→抵抗Ｒ４→抵抗Ｒ５→コンパレータ２０の（−）端子を介して分割され、この分割された電圧が印加され、この印加された電圧が、グランドＧ２に対してＣライン判別用基準電圧Ｖｒｅｆｃよりも高くなるので、Ｃライン用コンパレータ２０の出力信号がＯＮし、フォトカプラＰＣ１が動作し（ＯＮし）、出力信号ＥＥ＋が低下し、ＣＰＵ３００が、Ｃライン用コンパレータ２０の出力信号ＯＮを読み取り、Ｃ２ライン地絡を検出する。これによって、表示部ＤＰに設けられている７セグメント表示装置に、エラーコードＥ２１を表示し、故障音響を鳴動する。
【００３９】
一方、Ｌ２ラインが地絡すると、Ｌ２ラインの電圧は、Ｌ２ライン→フレームグランドＦＧ→地絡検出端子Ｔ１→抵抗Ｒ１→抵抗Ｒ４→抵抗Ｒ５→コンパレータ３０の（＋）端子を介して分割され、この分割された電圧が印加され、この印加された電圧が、グランドＧ２に対してＬライン判別用基準電圧Ｖｒｅｆｌよりも低くなるので、Ｌライン用コンパレータ３０の出力信号がＯＮし、フォトカプラＰＣ２が動作し（ＯＮし）、出力信号ＥＥ−が低下し、ＣＰＵ３００が、Ｌライン用コンパレータ３０の出力信号ＯＮを読み取り、Ｌ２ライン地絡を検出する。これによって、表示部ＤＰに設けられている７セグメント表示装置に、エラーコードＥ２２を表示し、故障音響を鳴動する。
【００４０】
つまり、電源（＋２）が通常２４Ｖに設定され、グランドＧ２が０Ｖに設定され、互いに同じインピーダンスである抵抗Ｒ２、Ｒ３の接続点が１２Ｖであり、この１２Ｖが、地絡検出電圧として、コンパレータ２０の（−）端子に供給され、コンパレータ３０の（＋）端子に供給されている。
一方、基準電圧発生回路１０が、Ｃライン判別用基準電圧Ｖｒｅｆｃ（１６Ｖ）と、Ｌライン判別用基準電圧Ｖｒｅｆｌ（８Ｖ）とを発生し、これらの基準電圧が、それぞれ、コンパレータ２０の（＋）端子、コンパレータ３０の（−）端子に供給されている。つまり、抵抗Ｒ２、Ｒ３の接続点の電圧（地絡が生じていない通常は１２Ｖ）が、１６Ｖよりも高くなったこと（Ｃ２ライン側に地絡したことによって、Ｃ２ラインの電圧、たとえば約２４Ｖが印加され、抵抗Ｒ１、Ｒ２、Ｒ３による電圧分割比が変わり、抵抗Ｒ２、Ｒ３の接続点の電圧が上昇する）を、コンパレータ２０が判別し、８Ｖよりも低くなったこと（Ｌ２ライン側に地絡したことによって、Ｌ２ラインの電圧、たとえば２Ｖが印加され、抵抗Ｒ２、Ｒ３の接続点の電圧が下がったこと）を、コンパレータ３０が判別する。
【００４１】
図４は、上記実施例のＣＰＵ３００の動作を示すフローチャートである。
【００４２】
ＣＰＵ３００は、リレーＲＥをオフして、接点ｒｅ１、ｒｅ２を第１電源部７００側（＋１、グランドＧ１）に接続して（Ｓ１００）、第１タイマ３０１をスタートさせ（Ｓ１１０）、第１タイマ３０１のカウンタが第１所定時間、例えば、４５秒間を経過したか否かを判断し（Ｓ１２０）、経過していない場合は（Ｓ１２０のＮ）、地絡検出回路２００に第１電源部７００の地絡検出を行わせることを継続する（Ｓ１３０）。
【００４３】
また、第１タイマ３０１のカウンタが第１所定時間経過した場合は（Ｓ１２０のＹ）、第１タイマ３０１をクリアして（Ｓ１４０）、つぎに、リレーＲＥをオンして、接点ｒｅ１、ｒｅ２を第２電源部８００側（＋２、グランドＧ２）に接続して（Ｓ１５０）、第２タイマ３０２をスタートさせ（Ｓ１６０）、第２タイマ３０２のカウンタが第２所定時間、例えば、１５秒間を経過したか否かを判断し（Ｓ１７０）、経過していない場合は（Ｓ１７０のＮ）、地絡検出回路２００に第２電源部８００の地絡検出を行わせることを継続する（Ｓ１８０）。また、第２タイマ３０２のカウンタが第２所定時間経過した場合は（Ｓ１７０のＹ）、第２タイマ３０２をクリアして（Ｓ１９０）、ステップＳ１００へ戻り、以降、第１電源部７００と第２電源部８００の地絡検出を地絡検出回路２００に交互に行わせる。
【００４４】
図５は、図４のフローの第１電源部７００の地絡検出（Ｓ１３０）の動作を示すフローチャートである。
【００４５】
地絡検出回路２００が、Ｃ１ラインの地絡を検出すると（Ｓ１０のＹ）、火災受信機ＲＥ内のＲＡＭ４００に格納されているＣ１ライン地絡フラグをＯＮし（Ｓ１１）、上記７セグメント表示装置に、エラーコードＥ１１を表示し（Ｓ１２）、ブザーＢｚが故障音響を鳴動する（Ｓ１３）。
【００４６】
Ｃ１ライン地絡を検出しない場合（Ｓ１０のＮ）、Ｃ１ライン地絡フラグがＯＮであれば（Ｓ２０）、Ｃ１ライン地絡フラグをＯＦＦし（Ｓ２１）、エラーコードＥ１１を消去し（Ｓ２２）、故障音響を停止し（Ｓ２３）、つぎに、Ｌ１ラインの地絡検出を行う（Ｓ３０）。また、Ｃ１ライン地絡フラグがＯＦＦであれば（Ｓ２０）、Ｌ１ラインの地絡検出を行う（Ｓ３０）。
【００４７】
地絡検出回路２００が、Ｌ１ラインの地絡を検出すると（Ｓ３０のＹ）、火災受信機ＲＥ内のＲＡＭ４００に格納されているＬ１ライン地絡フラグをＯＮし（Ｓ３１）、７セグメント表示装置に、エラーコードＥ１２を表示し（Ｓ３２）、ブザーＢｚが故障音響を鳴動する（Ｓ３３）。
【００４８】
Ｌ１ライン地絡を検出しない場合（Ｓ３０のＮ）、Ｌ１ライン地絡フラグがＯＮであれば（Ｓ４０）、Ｌ１ライン地絡フラグをＯＦＦし（Ｓ４１）、エラーコードＥ１２を消去し（Ｓ４２）、故障音響を停止し（Ｓ４３）、第１電源部７００の地絡検出動作を終了する。同様に、Ｌ１ライン地絡フラグがＯＦＦである場合（Ｓ４０）、また、Ｃ１ライン、Ｌ１ラインの地絡を検出して、ブザーＢｚが故障音響を鳴動した（Ｓ１３、Ｓ３３）後も、第１電源部７００の地絡検出動作を終了する。
【００４９】
図５は、図４のフローの第２電源部８００の地絡検出（Ｓ１８０）の動作を示すフローチャートである。
【００５０】
地絡検出回路２００が、Ｃ２ラインの地絡を検出すると（Ｓ５０のＹ）、火災受信機ＲＥ内のＲＡＭ４００に格納されているＣ２ライン地絡フラグをＯＮし（Ｓ５１）、上記７セグメント表示装置に、エラーコードＥ２１を表示し（Ｓ５２）、ブザーＢｚが故障音響を鳴動する（Ｓ５３）。
【００５１】
Ｃ２ライン地絡を検出しない場合（Ｓ５０のＮ）、Ｃ２ライン地絡フラグがＯＮであれば（Ｓ６０）、Ｃ２ライン地絡フラグをＯＦＦし（Ｓ６１）、エラーコードＥ２１を消去し（Ｓ６２）、故障音響を停止し（Ｓ６３）、つぎに、Ｌ２ラインの地絡検出を行う（Ｓ７０）。また、Ｃ２ライン地絡フラグがＯＦＦであれば（Ｓ６０）、Ｌ２ラインの地絡検出を行う（Ｓ７０）。
【００５２】
地絡検出回路２００が、Ｌ２ラインの地絡を検出すると（Ｓ７０のＹ）、火災受信機ＲＥ内のＲＡＭ４００に格納されているＬ２ライン地絡フラグをＯＮし（Ｓ７１）、７セグメント表示装置に、エラーコードＥ２２を表示し（Ｓ７２）、ブザーＢｚが故障音響を鳴動する（Ｓ７３）。
【００５３】
Ｌ２ライン地絡を検出しない場合（Ｓ７０のＮ）、Ｌ２ライン地絡フラグがＯＮであれば（Ｓ８０）、Ｌ２ライン地絡フラグをＯＦＦし（Ｓ８１）、エラーコードＥ２２を消去し（Ｓ８２）、故障音響を停止し（Ｓ８３）、第２電源部８００の地絡検出動作を終了する。同様に、Ｌ２ライン地絡フラグがＯＦＦである場合（Ｓ８０）、また、Ｃ２ライン、Ｌ２ラインの地絡を検出して、ブザーＢｚが故障音響を鳴動した（Ｓ５３、Ｓ７３）後も、第２電源部８００の地絡検出動作を終了する。
【００５４】
上記実施例によれば、地絡検出回路２００を複数の電源部７００、８００に接続して、地絡検出回路２００に複数の電源部７００、８００の地絡検出を行わせるようにしたので、１つの地絡検出回路２００のみで、複数の電源部７００、８００の地絡を検出することができて、コストを低減でき、機器の大型化を防止することができる。
【００５５】
また、接点ｒｅ１、ｒｅ２は、地絡検出回路２００と複数の電源部７００、８００との間に設けられ、地絡検出回路２００に複数の電源部７００、８００のいずれかを選択的に切換接続するように制御されるので、アイソレーションしている複数の電源部７００、８００が地絡検出回路２００で接続されることがないので、それぞれの電源部７００、８００のアイソレーションを保つことができる。
【００５６】
ここで、複数の電源部７００、８００を地絡検出回路２００に並列に常時接続した場合は、雷などの外来ノイズが発生したときに、アースＥを経由して地絡検出回路２００から回り込んで複数の電源部７００、８００の全てが破損してしまうが、複数の電源部７００、８００のうちの一つだけを地絡検出回路２００に選択的に切換接続する構成としたので、雷などの外来ノイズが発生したときには、地絡検出回路２００に接続されている電源部７００、８００のみの破損に留めることができる。また、電源部７００、８００のいずれかに地絡が生じても、それ以外の電源部７００、８００はその地絡の影響を受けることがない。
【００５７】
また、切換手段としてのリレーＲＥの接点ｒｅ１、ｒｅ２は、複数の電源部７００、８００のうち、第１電源部７００の地絡検出時間を４５秒間、第２電源部８００の地絡検出時間を１５秒間として、重要度の高いものほど、地絡検出回路２００と長く接続するようにＣＰＵ３００によって制御される。そのため、重要度の高い電源部（この場合は、第１電源部７００）ほど、その地絡検出時間を長くして、早期に地絡を検出することができる。
【００５８】
即ち、感知器ラインＣ１、Ｌ１やＣＰＵ３００（制御手段）に電源供給する第１電源部７００と地区ベルラインＣ２、Ｌ２に電源供給する第２電源部８００とがある場合、火災感知器ＳＥは常時火災を検出する必要性があり、また、ＣＰＵ３００も常時正常に動作する必要があり、その一方、地区ベルＢは火災発生時に鳴動できればよいので、この場合は、第１電源部７００の地絡検出時間を第２電源部８００のそれよりも長くして、早期に地絡を検出することができる。
【００５９】
また、複数の電源部７００、８００が地絡したことを区別して表示するように制御される表示手段としての表示部ＤＰを備えたので、作業員は、地絡の原因を判別でき、地絡復旧作業を的確に行うことができる。特に、Ｃ１、Ｌ１、Ｃ２、Ｌ２ラインの地絡毎に区別して表示するので、地絡の原因がより判別しやすい。
【図面の簡単な説明】
【００６０】
【図１】本発明の一実施例である火災報知設備ＦＡ１を示す回路図である。
【図２】上記実施例に設けられている地絡検出回路と２つの電源部との接続切換機構の概略を示すブロック図である。
【図３】上記実施例に設けられている地絡検出回路、および地絡検出回路と２つの電源部との接続切換機構を示す回路図である。
【図４】上記実施例のＣＰＵの動作を示すフローチャートである。
【図５】図４の第１電源部の地絡検出の動作を示すフローチャートである。
【図６】図４の第２電源部の地絡検出の動作を示すフローチャートである。
【符号の説明】
【００６１】
ＲＥ…火災受信機、ＳＥ…火災感知器、Ｂ…地区ベル、１００…火災検出回路、２００…地絡検出回路、１０…基準電圧発生回路、２０…Ｃライン用コンパレータ、Ｖｒｅｆｃ…Ｃライン判別用基準電圧、３０…Ｌライン用コンパレータ、Ｖｒｅｆｌ…Ｌライン判別用基準電圧、ＲＥ…リレー、ｒｅ１…接点、ｒｅ２…接点、ＦＧ…フレームグランド、３００…ＣＰＵ、３０１…第１タイマ、３０２…第２タイマ、４００…ＲＡＭ、５００…音響回路、６００…地区音響鳴動回路、７００…第１電源部、８００…第２電源部、ＤＰ…表示部、Ｂｚ…ブザー、Ｔ１…地絡検出端子、Ｃ１…感知器ライン、Ｌ１…感知器ライン、Ｃ２…地区ベルライン、Ｌ２…地区ベルライン。
【図１】
2008102746.tif 000003
【図２】
2008102746.tif 000004
【図３】
2008102746.tif 000005
【図４】
2008102746.tif 000006
【図５】
2008102746.tif 000007
【図６】
2008102746.tif 000008